(57)【要約】【課題】力の弱い消費者でも開封後をきれいとし且つ開封容易としつつ、持ち運び時に破断し難い包装袋を提供する。【解決手段】前面１２、背面１４、側端面１６、１８、底部２２及び頂部２８により、包装袋１０の包装袋本体１０Ａが構成される。包装袋本体１０Ａの上側に、使用者による把持を可能とする取手２４が設置される。取手２４の両基端側は、包装袋本体１０Ａにおける側端面１６、１８の上端部付近に位置し、両基端側が接着等により側端面１６、１８に固着された連結部２４Ａとされる。連結部２４Ａの下部側に隣接した側端面１６の位置に、第１ミシン目３１が形成される。第１ミシン目３１のタイカット比は、１：３〜１：１０の範囲の値とされる。第１ミシン目３１の両端部に繋がる前面１２及び背面１４の部分に、連第２ミシン目３２が形成される。第２ミシン目３２のタイカット比は、１：４〜１：１５の範囲の値とされる。【選択図】図１
2011178422.tif 000002
【特許請求の範囲】
【請求項１】
被収納物を収納する包装袋であって、
被収納物の上下面及び側面を覆う包装袋本体と、
基端側が被収納物の側面を覆う包装袋本体の位置に固着された連結部とされ且つ、把持可能とされる取手と、
連結部の下部側に隣接した包装袋本体の位置に包装袋本体の側面に沿った方向に延びるように形成されたミシン目と、
を含むことを特徴とする包装袋。
【請求項２】
ミシン目が連結部に隣接した包装袋本体の位置以外の部分にまで延び、
連結部に隣接した包装袋本体の位置のミシン目のタイカット比が、１：３〜１：１０の範囲の値とされ、連結部に隣接した包装袋本体の位置以外のミシン目のタイカット比が、１：４〜１：１５の範囲の値とされることを特徴とする請求項１記載の包装袋。
【請求項３】
ミシン目が被収納物の側面を覆う部分の半周分以下の長さを有することを特徴とする請求項１または請求項２に記載の包装袋。
【発明の詳細な説明】
【技術分野】
【０００１】
本発明は、力の弱い消費者でも開封後をきれいとし且つ開封容易としつつ、持ち運び時に破断し難い包装袋に関し、トイレットペーパーやキッチンペーパー等の衛生用品の包装に好適なものである。
【背景技術】
【０００２】
従来、ロール状のトイレットペーパー等の衛生用品の販売に際して、複数のトイレットペーパー等の被収納物をまとめて包装袋に収納することが一般的であり、また、収納する為の包装袋を形成する材料として、軟質であり且つ強度が高いプラスチック製のパッケージフィルムが一般に使用されていた。
【０００３】
他方、持ち運び時の不便さを解消するための把持用の取手が上部に設置された包装袋も知られていて、この取手を上部に有した包装袋内における、トイレットペーパーの収納形態として、例えば１段当たり４個並びであって３段重ねにされて合計１２個のトイレットペーパーが収納される場合や、１段当たり２個並びであって２段重ねとされて計４個のトイレットペーパーが収納される場合等が有り、複数個のトイレットペーパーを段積みして包装した形で、店頭において販売に供されるようになっていた。
【０００４】
つまり、販売の前後において不用意に破断しないように、高い強度を有するプラスチック製のパッケージフィルムを包装材として使用していることから、トイレットペーパーの使用時における包装袋の開封が困難となる虞が生じるようになる。この為、包装袋を無理矢理破断して開放する必要が生じるようになる結果として、高齢者などの力の弱い消費者には開封し難くなるだけでなく、開封後の包装袋の見栄えが一般的に良くなかった。
【０００５】
これに対して、包装袋の上部に取手が設置されているだけでなく、包装袋の下部にミシン目を設けてこのミシン目の部分から開放する等の改善策がとられた包装袋も、知られている。
【先行技術文献】
【特許文献】
【０００６】
【特許文献１】実登3115621号公報
【特許文献２】特開2007-022638号公報
【特許文献３】特開2004-269009号公報
【特許文献４】特開2005-132433号公報
【特許文献５】特開2003-095337号公報
【発明の概要】
【発明が解決しようとする課題】
【０００７】
しかし、包装袋の下部にミシン目を設けた場合でも、開封のし難さが未だ十分には解決されておらず、また、開封後の見栄えも十分ではなかった。
以上より、本発明の主たる課題は、力の弱い消費者でも開封後をきれいとし且つ開封容易としつつ、持ち運び時に破断し難い包装袋を提供することにある。
【課題を解決するための手段】
【０００８】
請求項１に係る包装袋は、被収納物を収納する包装袋であって、
被収納物の上下面及び側面を覆う包装袋本体と、
基端側が被収納物の側面を覆う包装袋本体の位置に固着された連結部とされ且つ、把持可能とされる取手と、
連結部の下部側に隣接した包装袋本体の位置に包装袋本体の側面に沿った方向に延びるように形成されたミシン目と、
を含むことを特徴とする。
【０００９】
請求項１に係る包装袋の作用を以下に説明する。
本請求項の包装袋によれば、例えばロール状に形成された被収納物が複数収納されている。また、被収納物の上下面及び側面を包装袋本体が覆い、把持可能とされて被収納物を搬送するために設置される取手の基端側とされた連結部が、被収納物の側面を覆う包装袋本体の位置に固着されている。そして、この取手の連結部の下部側に隣接した位置にミシン目が包装袋本体の側面に沿った方向に延びるように形成されている。
【００１０】
従って、本請求項に係る包装袋によれば、包装袋の上部に存在することになる取手により被収納物ごと包装袋を持ち上げることが可能になる。他方、この取手の連結部の下部側であってこの連結部に隣接した位置にミシン目が形成されていることから、必要な場合には、取手を引っ張ることで、ミシン目に沿って包装袋本体が容易に破られて、包装袋が開封される。
つまり、本請求項によれば、力の弱い消費者でも開封後をきれいとし且つ開封容易としつつ、持ち運び時に破断し難い包装袋となる。
【００１１】
請求項２に係る包装袋の作用を以下に説明する。
本請求項に係る包装袋は請求項１の発明と同一の作用を奏する。但し、本請求項では、ミシン目が連結部に隣接した包装袋本体の位置以外の部分にまで延び、連結部に隣接した包装袋本体の位置のミシン目のタイカット比が、１：３〜１：１０の範囲の値とされ、連結部に隣接した包装袋本体の位置以外のミシン目のタイカット比が、１：４〜１：１５の範囲の値とされるという構成を有している。
【００１２】
つまり、本請求項によれば、取手の連結部に隣接した包装袋本体の位置のミシン目のタイカット比を１：３より小さくした場合や、取手の連結部に隣接した包装袋本体の位置以外のミシン目のタイカット比を１：４より小さくした場合には、ミシン目を破断し難くなる。
【００１３】
他方、連結部に隣接した位置のミシン目のタイカット比を１：１０より大きくした場合や、連結部に隣接した位置以外のミシン目のタイカット比を１：１５より大きくした場合には、包装袋を持ち運ぶ際にこのミシン目の部分から包装袋が不用意に破断し易くなる。
以上より、比較的破れ易い連結部に隣接した包装袋本体の部分のタイカット比を小さくする形になるように、これらミシン目のタイカット比の範囲を上記の値の範囲とした。
【００１４】
他方、本請求項に係る包装袋の開封に際しては、連結部に隣接した位置のミシン目の強度と連結部に隣接した位置以外のミシン目の強度とを適切に組み合わせたことから、これらミシン目の切り込み幅を必要以上に小さくする必要が無くなるので、持ち運び時においてより不用意に破断し難くしつつ、高齢の消費者などの力の弱い消費者でもミシン目から包装袋をより容易に開封でき、中身のロール状の被収納物を包装袋から取り出し易くなった。
【００１５】
請求項３に係る包装袋の作用を以下に説明する。
本請求項に係る包装袋は請求項１及び請求項２の発明と同一の作用を奏する。但し、本請求項では、ミシン目が被収納物の側面を覆う部分の半周分以下の長さを有するという構成を有している。
つまり、本請求項によれば、開封後における被収納物の衛生面の確保や、開封後において包装材が不用意に破断してしまうことを防ぐ為に、ミシン目を被収納物の側面を覆う部分の半周分以下とした。
【発明の効果】
【００１６】
以上のとおり本発明の包装袋によれば、力の弱い消費者でも開封後をきれいとし且つ開封容易としつつ、持ち運び時に破断し難いという優れた効果を奏するようになる。
【図面の簡単な説明】
【００１７】
【図１】本発明に係る包装袋の第１の実施の形態を示す斜視図である。
【図２】本発明に係る包装袋の第１の実施の形態に適用される第１ミシン目及び第２ミシン目の要部を展開しつつ拡大して示す展開拡大図である。
【図３】本発明に係る包装袋の第２の実施の形態を示す斜視図である。
【図４】本発明に係る包装袋の第２の実施の形態の変形例を示す斜視図である。
【図５】本発明に係る包装袋の第２の実施の形態の別の変形例を示す斜視図である。
【発明を実施するための形態】
【００１８】
以下、本発明に係る包装袋の第１の実施の形態を図１及び図２に示し、これら図面を参照しつつ本実施の形態を詳細に説明する。
本実施の形態に係る包装袋１０の本体部分を形成する包装袋本体１０Ａは、延伸加工された厚さ０．０３ｍｍの延伸フィルムであるポリエチレン等のプラスチックフィルムまたはシートを筒状に形成した包装材により構成されている。図１に示すように、この筒状の包装袋本体１０Ａは、その両側端面１６、１８が内方へ折り込まれたガセット袋とされ、各袋の長さ毎に溶断することで、完成されている。つまり、この包装袋本体１０Ａを形成する包装材は、前面１２、背面１４及び側端面１６、１８を有している。
【００１９】
さらに、被収納物であるトイレットペーパー３０が収納されている包装袋１０の製造に際し、この包装材の下側の溶着時には、側端面１６、１８を前面１２と背面１４の下端とともに積層して一端がシールされて、下側に位置する底部２２が形成される。また、トイレットペーパー３０の収納後におけるこの包装材の上側の溶着時には、側端面１６、１８を前面１２と背面１４の上端とともに積層して一端がシールされて、上側に位置する頂部２８が同様に形成され、この頂部２８がトイレットペーパー３０の上端面を覆う部分とされている。
以上より、これら前面１２、背面１４、側端面１６、１８、底部２２及び頂部２８により、本実施の形態に係る包装袋１０の包装袋本体１０Ａが構成されることになる。
【００２０】
他方、この包装袋本体１０Ａの上側には、側端面１６と側端面１８との間をアーチ状に繋ぐ形で、使用者による把持を可能とする取手２４が設置されている。この取手２４の両基端側は、包装袋本体１０Ａにおける側端面１６、１８の上端部付近に位置していて、これら両基端側が接着等により側端面１６、１８に固着された連結部２４Ａとされている。
【００２１】
尚、本実施の形態では、図１に示すように８個のロール状に形成されたトイレットペーパー３０が、同一平面内においてその外周面同士を接しつつ複数個である４個配置される形で、４個ずつ２段に重ねてこの包装袋本体１０Ａ内に収納されている。そして、これら
トイレットペーパー３０は１ロール当たり１５０グラム程度の重さがあるので、８ロールでは、１２００グラム程度の重さとなる。
【００２２】
この一方、本実施の形態では、図１及び図２に示すように、上記の連結部２４Ａの下部側に隣接した側端面１６の位置に、包装袋本体１０Ａの側面に沿った方向である水平方向（図２におけるＸ方向）に延びる第１ミシン目３１が形成されている。そして、この連結部２４Ａに隣接した位置の第１ミシン目３１のタイカット比は、１：３〜１：１０の範囲の値とされている。
【００２３】
この第１ミシン目３１の両端部に繋がる前面１２及び背面１４の部分には、連結部２４Ａに隣接した位置以外のミシン目とされる第２ミシン目３２が同じく水平方向に延びるように、それぞれ形成されている。そして、この第２ミシン目３２のタイカット比は、１：４〜１：１５の範囲の値とされている。
以上より、第１ミシン目３１の強度は、第２ミシン目３２の強度より強くされている。但し、これらミシン目３１、３２の全体の長さは、トイレットペーパー３０の側面である前面１２、背面１４及び側端面１６、１８を覆う部分の半周分以下の長さになっている。
【００２４】
本実施の形態では、図２に示すように、例えば第１ミシン目３１の切り込み長さＬ１を４．０ｍｍ、間隔Ｔ１を１．０ｍｍとすることで、第１ミシン目３１のタイカット比を１：４とした。また、第２ミシン目３２の切り込み長さＬ２を５．０ｍｍ、間隔Ｔ２を１．０ｍｍとすることで、第２ミシン目３２のタイカット比を１：５とした。
【００２５】
ここで、ミシン目のタイカット比とは、第１ミシン目３１の間隔Ｔ１と第１ミシン目３１の切り込み長さＬ１との比率であり、また、第２ミシン目３２の間隔Ｔ２と第２ミシン目３２の切り込み長さＬ２との比率である。そして、Ｔ１：Ｌ１やＴ２：Ｌ２とされるタイカット比のＴ１，Ｔ２に対してのＬ１，Ｌ２の値が相対的に小さいほど切り離しにくく、Ｔ１，Ｔ２に対してのＬ１，Ｌ２の値が相対的に大きいほど切り離し易くなる。すなわち、このタイカット比によれば、Ｔ１に対してＬ１が小さいほど、また、Ｔ２に対してＬ２が小さいほど、ミシン目３１，３２における引張強度（ＪＩＳＰ８１１３）が高くなる。
【００２６】
尚、本実施の形態に係る包装袋１０の大きさは、包装袋１０内においてトイレットペーパー３０が開封前に崩れることがないような大きさに設定されている。つまり、好ましくはほぼぴったりとトイレットペーパー３０を包むように、包装袋１０の寸法が定められている。
【００２７】
次に、本実施の形態に係る包装袋１０の作用を説明する。
本実施の形態の包装袋１０によれば、ロール状に形成された被収納物であるトイレットペーパー３０が複数収納されている。また、トイレットペーパー３０の上下面及び側面を包装袋本体１０Ａが覆い、把持可能とされてトイレットペーパー３０を搬送するために設置される取手２４の基端側とされた連結部２４Ａが、トイレットペーパー３０の側面を覆う包装袋本体１０Ａの位置に固着されている。そして、この取手２４の連結部２４Ａの下部側に隣接した位置を中心に、ミシン目３１、３２がトイレットペーパー３０の側面を覆う部分の半周分以下の長さを有する形で、形成されている。
【００２８】
従って、本実施の形態に係る包装袋１０によれば、包装袋１０の上部に存在することになる取手２４によりトイレットペーパー３０ごと包装袋１０を持ち上げることが可能になる。他方、第１ミシン目３１がこの取手２４の連結部２４Ａの下部側であってこの連結部２４Ａに隣接した位置に、形成されていることから、必要な場合には、この取手２４を引っ張ることで、第１ミシン目３１に沿って包装袋本体１０Ａが容易に破られ、これに伴って、第２ミシン目３２まで切断されて包装袋１０が開封される。
つまり、本実施の形態によれば、力の弱い消費者でも開封後をきれいとし且つ開封容易として中身のロール状のトイレットペーパー３０を包装袋１０から取り出し易くしつつ、持ち運び時に破断し難い包装袋１０となる。
【００２９】
この一方、本実施の形態では、連結部２４Ａに隣接した包装袋本体１０Ａの位置の第１ミシン目３１のタイカット比が、１：３〜１：１０の範囲の値とされ、連結部２４Ａに隣接した包装袋本体１０Ａの位置以外の第２ミシン目３２のタイカット比が、１：４〜１：１５の範囲の値とされている。
【００３０】
つまり、本実施の形態によれば、この連結部２４Ａに隣接した位置の第１ミシン目３１のタイカット比を１：３より小さくした場合や、この連結部２４Ａに隣接した位置以外の第２ミシン目３２のタイカット比を１：４より小さくした場合には、ミシン目を破断し難くなる。
【００３１】
他方、この連結部２４Ａに隣接した位置の第１ミシン目３１のタイカット比を１：１０より大きくした場合や、この連結部２４Ａに隣接した位置以外の第２ミシン目３２のタイカット比を１：１５より大きくした場合には、包装袋１０を持ち運ぶ際にこのミシン目の部分から包装袋１０が不用意に破断し易くなる。
以上より、比較的破れ易い連結部２４Ａに隣接した包装袋本体１０Ａの部分のタイカット比を小さくする形になるように、これらミシン目３１、３２のタイカット比の範囲を上記の値の範囲とした。
【００３２】
また、本実施の形態に係る包装袋１０の開封に際しては、第１ミシン目３１の強度と第２ミシン目３２の強度とを適切に組み合わせたことから、これらミシン目３１、３２の切り込み幅を必要以上に大きくする必要が無くなる。このことで、持ち運び時においてより不用意に破断し難くしつつ、高齢の消費者などの力の弱い消費者でも第１ミシン目３１から包装袋１０をより容易に開封し易くなった。
【００３３】
さらに、トイレットペーパー３０の1ロール分の大きさがあれば、十分な開封性を有することから、本実施の形態では、ミシン目３１、３２がトイレットペーパー３０の側面を覆う部分の半周分以下の長さとされている。ことから、開封後におけるトイレットペーパー３０の衛生面の確保や、開封後において包装材が不用意に破断してしまうことを防ぐことができるようにもなった。
【００３４】
ここで、第１ミシン目３１のタイカット比Ｔ１：Ｌ１が、好ましくは１：３〜１：１０の範囲の値とされ、また、第２ミシン目３２のタイカット比Ｔ２：Ｌ２が、好ましくは１：４〜１：１５の範囲の値とされる理由を具体的に説明する。つまり、表１において「タイカット比（第１ミシン目）」と表記した第１ミシン目３１が、１：２〜１：１５までの各タイカット比とされると共に、表１において「タイカット比（第２ミシン目）」と表記した第２ミシン目３２が、１：３〜１：２０までの各タイカット比とされたものを下記の表１に示す組み合わせとして、各サンプルをまずそれぞれ作成した。
【００３５】
そして、これらサンプルに関して、トイレットペーパー３０が収納された状態で包装袋１０を１０分間持ち運ぶことで、包装袋１０を持ち運ぶ際においてミシン目３１，３２から不用意に破断しないかの試験を行い、これを「強度」として表わし、試験結果が、問題なければ「○」とし、ミシン目３２から破れてしまって問題有りとされれば「×」とした。
【００３６】
他方、包装袋１０のミシン目３１，３２からの開封し易さを試験した結果を「開封し易さ」として表わし、この開封し易さの試験結果が、非常に開け易ければ「◎」とし、開け易ければ「○」とし、開け難ければ「△」とし、非常に開け難ければ「×」とした。
【００３７】
【表１】
2011178422.tif 000003
【００３８】
この表１に示される試験結果によれば、第１ミシン目３１のタイカット比Ｔ１：Ｌ１が
１：１０より大きい１：１５以上の場合や、第２ミシン目３２のタイカット比Ｔ２：Ｌ２が１：１５より大きい１：２０以上の場合には、Ｌ１，Ｌ２が相対的に大きくなり過ぎるのに伴い、第１ミシン目３１から破れてしまった。つまり、表１において「×」としたサンプルは、第１ミシン目３１と第２ミシン目３２との境目であって第１ミシン目３１に近い箇所で破れた。
【００３９】
また、第１ミシン目３１のタイカット比Ｔ１：Ｌ１が１：３より小さい１：２以下の場合や第２ミシン目３２のタイカット比Ｔ２：Ｌ２が１：４より小さい１：３以下の場合には、Ｔ１，Ｔ２が相対的に大きくなり過ぎるのに伴い、ミシン目３１，３２から非常に開封し難くなってしまった。
【００４０】
以上より、表１に示す試験結果から上記の第１ミシン目３１のタイカット比を１：３〜１：１０とし、第２ミシン目３２のタイカット比を１：４〜１：１５とする範囲の値が良いことが確認された。
【００４１】
次に、本発明に係る包装袋の第２の実施の形態を図３に示し、この図面を参照しつつ本実施の形態を詳細に説明する。
第１の実施の形態では、取手２４の連結部２４Ａの直下の位置に第１ミシン目３１が形成されていたが、本実施の形態では、取手２４の連結部２４Ａに対して距離Ｓが２ｃｍだけ下方の側端面１６の位置に、第１ミシン目３１が形成されている。
【００４２】
つまり、取手付きのトイレットペーパーの代表的な商品に関し、取手に力を加えて包装用のフィルムを引き伸ばす試験を行ったときに、このフィルムが破断する最低限の距離Ｓは、２ｃｍより短い距離であった。このことから、トイレットペーパー３０が収納されている包装袋１０を使用者等が取手２４を把持して、持ち運ぶ時にフィルムが伸びてしまわないように、距離Ｓを２ｃｍとした。これに伴い、第２ミシン目３２もこの第１ミシン目３１の両端部に相互に繋がる形で、第１の実施の形態と比較して２ｃｍ低く形成されている。
以上より、本実施の形態も第１の実施の形態と同様に、力の弱い消費者でも開封し易くしつつ、持ち運び時に破断し難い包装袋１０となる。
【００４３】
さらに、本実施の形態の変形例として、図４に示すようなものが考えられる。つまり、本変形例では、取手２４の連結部２４Ａに対して距離Ｓが２ｃｍだけ下方の側端面１６の位置に、第１ミシン目３１が形成されているものの、第２ミシン目３２は第１の実施の形態と同一の高さの位置に形成されている。これに伴い、これら相互に高さの相違する第１ミシン目３１と第２ミシン目３２との間を縦方向（図４のＹ方向）に伸びる接続用ミシン目３３が繋いでいる。従って、必要な場合には、取手２４を引っ張ることで、第１ミシン目３１に沿って包装袋本体１０Ａが容易に破られ、これに伴って、接続用ミシン目３３が切断されてから第２ミシン目３２まで切断されて、包装袋１０が開封される。
【００４４】
さらに、本実施の形態の別の変形例として、図５に示すようなものが考えられる。つまり、本変形例では、取手２４の連結部２４Ａに対して同様に２ｃｍだけ下方の側端面１６の位置に、第１ミシン目３１の直下の部分が形成されているものの、本変形例の第１ミシン目３１の両端部は第１の実施の形態と同一の高さに位置していて、これら両端部と直下の部分との間を接続用ミシン目３３と同様の接続用ミシン目３４が繋いでいる。これに合わせて、本変形例でも、第２ミシン目３２は第１の実施の形態と同一の高さの位置に形成されている。
【００４５】
尚、上記実施の形態では、被収納物をトイレットペーパーとしたが、キッチンペーパーとしても良く、類似形態の他のロール状の物品であっても良い。また、上記実施の形態の包装袋を構成する包装材としては、ポリエチレン製のものを採用したが、ポリプロピレンやポリエチレンテレフタレート等のプラスチック製の材料である合成樹脂材料を採用しても良い。
【００４６】
さらに、上記実施の形態では、トイレットペーパーが４個ずつ２段に重ねられて８個だけ収納されていたが、トイレットペーパーを他の４個、１２個あるいはそれ以外の個数としても良い。この際、例えば４個の場合では６００グラム程度の重さとなり、１２個の場合では１８００グラム程度の重さとなる。但し、これらの場合には、トイレットペーパーが増えれば、被収納物の重量も増えることから、上記実施の形態に対して、包装材の厚み、ミシン目の長さ及びタイカット比等を変更することが、例えば考えられる。
【産業上の利用可能性】
【００４７】
本発明は、トイレットペーパー、キッチンペーパー及びティシュペーパー等の衛生用品全般の収納に利用できるものである。
【符号の説明】
【００４８】
１０      包装袋
１０Ａ    包装袋本体
２４      取手
２４Ａ    連結部
３０      トイレットペーパー（被収納物）
３１      第１ミシン目
３２      第２ミシン目
【図１】
2011178422.tif 000004
【図２】
2011178422.tif 000005
【図３】
2011178422.tif 000006
【図４】
2011178422.tif 000007
【図５】
2011178422.tif 000008